(57)【要約】【課題】  結線部分が原因となる低温領域の発生を防ぎ、温度ムラのない床暖房パネルを提供する。【解決手段】  床材２の裏面側に発熱体５および配線具６を収めて裏面材７を被せた床暖房パネル１であって、床材２裏面に設けられた発熱体用凹部３の全面に発熱体５が収められ、この発熱体５と裏面材７との間に形成されている空間を配線具用凹部４としてこれに配線具６が収められている。【選択図】図１
2006090670.tif 000002
【特許請求の範囲】
【請求項１】
床材の裏面側に発熱体および配線具を収めて裏面材を被せた床暖房パネルであって、
床材裏面に設けられた発熱体用凹部の全面に発熱体が収められ、この発熱体と裏面材との間に形成されている空間を配線具用凹部としてこれに配線具が収められていることを特徴とする床暖房パネル。
【請求項２】
前記発熱体における前記配線具の上方に位置する部分が除去されていることを特徴とする請求項１記載の床暖房パネル。
【発明の詳細な説明】
【技術分野】
【０００１】
本願発明は、床材の裏面側に形成された収納部に発熱体及び配線具を収めてなる、床材一体型の電気式の床暖房パネルに関するものである。
【背景技術】
【０００２】
上記床暖房パネルについては、たとえば図５（ａ）（ｂ）に例示したように、床材２の裏面側に収納部としての発熱体用凹部３と配線具用凹部４を設け、これにそれぞれ発熱体５および配線具６を収めてなるものが知られている。
【０００３】
この床暖房パネル１の電気結線は、配線具６としての３分岐式のコネクタ６１を介して、その１つの接続部により床材２から伸びた電線が接続され、残りの２つの接続により隣接する他の床暖房パネル１が接続されることで、行われる。
【０００４】
下記特許文献１および２には、これと同様な構成の床暖房パネルおよび電気結線について記載されている。
【特許文献１】特開平１１−２５６８０３号公報
【特許文献２】特開２００２−１９５５９１号公報
【発明の開示】
【発明が解決しようとする課題】
【０００５】
しかしながら、上記のとおりの従来の床暖房パネル１では、配線具６による結線部分には発熱体５がないため、その部分は他の部分に比べて暖まらない。また、この床暖房パネル１を複数枚並設させる場合、隣接する床暖房パネル１とも結線させる必要があるため、結線部分が連続して形成されることとなり、暖房エリアを大きくすると、どうしても床材２表面に人が冷たいと感じる低温領域が形成されてしまう。
【０００６】
そこで、以上のとおりの事情に鑑み、本願発明は、結線部分が原因となる低温領域の発生を防ぎ、温度ムラのない床暖房パネルを提供することを課題としている。
【課題を解決するための手段】
【０００７】
本願発明は、上記の課題を解決するものとして、第１には、床材の裏面側に発熱体および配線具を収めて裏面材を被せた床暖房パネルであって、床材裏面に設けられた発熱体用凹部の全面に発熱体が収められ、この発熱体と裏面材との間に形成されている空間を配線具用凹部としてこれに配線具が収められていることを特徴とする。
【０００８】
また、本願発明は、第２には、前記発熱体における前記配線具の上方に位置する部分が除去されていることを特徴とする。
【発明の効果】
【０００９】
上記第１の発明によれば、床材裏面側をくりぬくなどして形成された発熱体用凹部に対してその全面に発熱体を収め、この発熱体とこれを覆うよう床材裏面に被せられる裏面材との間に配線具用凹部として利用する空間を確保し、これに配線具を収めるようにすることで、床材裏面側のほぼ全域を占めるように発熱体が位置し、且つこの発熱体の裏側に配線具が位置することとなるため、発熱体の熱が床材表面全体に伝わり、配線具による結線部分が原因となる低温領域が発生せず、温度ムラのない床暖房パネルが実現される。
【００１０】
上記第２の発明によれば、上記第１の発明と同様な効果が得られ、また、発熱体用凹部の全面に収められた発熱体における配線具の上方に位置する部分が、くり抜くなどして除去されていることで、配線具の上に発熱体が来なくなるため、配線具に対する耐熱性の要求を抑えた床暖房パネルを実現することができる。
【発明を実施するための最良の形態】
【００１１】
＜第１の実施形態＞
図１は、本願発明の一実施形態を示したものである。
【００１２】
この実施形態において、まず、床暖房パネル１のパネル基材となる矩形状の床材２の裏面には、四周端部に若干ののり代面積を残した全面に、発熱体用凹部３が形成されており、この発熱体用凹部３の全面に、面状の発熱体５が収められている。この発熱体５としては、ＰＴＣ(Positive Temperature Coefficient）ヒータなどを考慮できる。
【００１３】
床材２の裏面には、さらに、その発熱体用凹部３ごと発熱体５を覆い隠す裏面材７が貼り付けられるのであるが、この裏面材７と発熱体５との間にはある程度の空間が確保されており、この空間を配線具用凹部４として利用し、これに配線具６が収められている。これにより、配線具６は、床材２表面から見て、発熱体５の裏側に位置することとなる。
【００１４】
なお、本実施形態では、この配線具６が収められている配線具用凹部４として利用した部分以外の空間は空隙となっているので、これに断熱材８が充填されている。この場合、たとえば、裏面側をくりぬいた床材２に、両面に接着剤を塗った発熱体５を収め、その上に断熱材８を入れて、プレス機でプレスすることで、床材２、発熱体５、断熱材８を一体化することができる。
【００１５】
以上の床暖房パネル１によれば、床材２裏面側のほぼ全域を占めた発熱体５によって床材２表面全体が暖められ、このとき、配線具６による結線部分、つまり配線具６としてのコネクタ６１とそれに接続されている電線６２が位置する部分の上方にも発熱体５が存在しているので、結線部分が原因となる低温領域が床材２表面に発生することはない。したがって、この床暖房パネル１を複数枚並設させて結線部分が連続して形成されたとしても、低温領域のない広い暖房エリアを確保できるようになる。また断熱材８の存在により、床下への放熱が減り、床上への熱効率が上がるため、より均一で効果的な暖房エリアが実現される。
【００１６】
なお、この床暖房パネル１の一寸法例としては、発熱体５が厚さ約１ｍｍ、コネクタ６１が厚さ約５ｍｍの場合、発熱体５およびコネクタ６１が上下して収められる収納部の深さ（発熱体用凹部３自体の深さと言える）は約６ｍｍとなる。
【００１７】
＜第２の実施形態＞
ところで、上述したとおりに発熱体用凹部３の全面に収められた発熱体５と裏面材７との間に確保された配線具用凹部４に収められた配線具６は、床材２表面側から見て発熱体５の下方に位置することとなるが（図１（ｂ）参照）、この場合、配線具６が発熱体５に触れることが考えられ、配線具６自身の耐熱性を考慮する必要が生じる。
【００１８】
そこで、たとえば図２に例示したように、発熱体５における配線具６の上方に位置する部分をくり抜くなどして除去することで、耐熱対策を講じることができる。
【００１９】
より具体的には、図２の実施形態では、発熱体５における配線具６の直上部分及びその周辺部分が除去されて、床材２裏面からみて配線具６よりも僅かに広い範囲で発熱体５に窓（除去窓５０と呼ぶこととする）が形成されたようになっている。この除去窓５０の存在により、配線具６の上に発熱体５が来なくなるため、配線具６に対する耐熱性の要求を抑えることができる。
【００２０】
このときの一寸法例としては、配線具６のコネクタ６１が約３０ｍｍ角である場合に、発熱体５の除去窓５０は約５０ｍｍ四方とする。ここで、たとえば、床暖房パネル１内での温度差を５度以内にすることを考慮すると、約５０ｍｍ四方であれば、周りとの温度差が５度以上となる低温領域は発生しない。ただもちろん、床材２の材質や断熱材・均熱材の有無等によってこの数値は変動するので、配線具６の上に発熱体５が来なくなりその耐熱性条件が緩和される限り、除去窓５０の寸法や形状は適宜なものとすることが望ましい。
【００２１】
発熱体５については、たとえば図３及び図４に例示したように、ＰＴＣヒータ素体５１とそれを上下から挟んで絶縁する絶縁用ＰＥＴ（ポリエチレンテレフタレート）部材５２とで構成される面状のＰＴＣヒータとすることができる。これに上記除去窓５０を設ける場合には、予めＰＴＣヒータ素体５１および絶縁用ＰＥＴ部材５２に除去窓５０となる開口部を設けておく。絶縁用ＰＥＴ部材５２の開口部は若干小さめのものとする。また、絶縁用ＰＥＴ部材５２の裏面には、ＰＴＣヒータ素体５１と絶縁用ＰＥＴ部材５２とを一体化させるために、ＰＴＣヒータ素体５１を避けた裏面周縁部分および開口部周縁部分にポリエチレン５３が付されている。この絶縁用ＰＥＴ部材５２でＰＴＣヒータ素体５１を上下から挟み、これにポリエチレン５３の融点まで熱を加えると、ポリエチレン５３が融解して絶縁用ＰＥＴ部材５２同士が接着される。このとき、ＰＴＣヒータ素体５１の開口部もその周縁部が被装されて絶縁される。これにより、ＰＴＣヒータ素体５１が絶縁用ＰＥＴ部材５２により絶縁された除去窓５０付き発熱体５が実現される。
【００２２】
なお、以上の各実施形態では床材２が矩形状のものとなっているが、この他にもたとえばＬ字形状等の様々な形態の床材２についても、上述したと同様に本願発明を適用できることは言うまでもない。
【図面の簡単な説明】
【００２３】
【図１】（ａ）（ｂ）は、各々、本願発明の一実施形態を示した裏面図および断面図。
【図２】（ａ）（ｂ）は、各々、  本願発明の別の一実施形態を示した裏面図および断面図。
【図３】発熱体について説明するための断面図。
【図４】発熱体について説明するための斜視図。
【図５】（ａ）（ｂ）は、各々、従来の床暖房パネルを例示した裏面図および断面図。
【符号の説明】
【００２４】
１  床暖房パネル
２  床材
３  発熱体用凹部
４  配線具用凹部
５  発熱体
５０  除去窓
５１  ＰＴＣヒータ素体
５２  絶縁用ＰＥＴ部材
５３  ポリエチレン
６  配線具
６１  コネクタ
６２  電線
７  裏面材
８  断熱材
【図１】
2006090670.tif 000003
【図２】
2006090670.tif 000004
【図３】
2006090670.tif 000005
【図４】
2006090670.tif 000006
【図５】
2006090670.tif 000007